(57)【要約】【課題】  従来の座標入力装置においては、引き出し電極部を、操作領域と引き出し電極部とから絶縁させるために絶縁膜を形成し、また、引き出し電極部を、操作領域と電極と引き出し電極部とから絶縁するために絶縁膜を形成するため、絶縁膜の形成作業と、その材料費によって、コスト高に成るという問題がある。【解決手段】  本発明によれば、引き出し電極部と操作領域との間、或いは引き出し電極部と電極との間に、導電膜と透明基板に切り溝を設けたものであるため、絶縁のための絶縁膜が不要となり、安価で、且つ、ピンホール、断線を生じることが無く、これによる不良品のない座標入力装置を提供できる。【選択図】      図２  
2004318916.tif 000002
【特許請求の範囲】
【請求項１】
基板の一面に形成された導電膜と、該導電膜上に間隔を置いて形成された一対の電極と、該一対の電極間で形成された操作領域と、前記一対の電極のそれぞれに接続されて前記導電膜上に形成された引き出し電極部を形成した周辺領域とを備え、前記それぞれの引き出し電極部は、前記周辺領域を経由して前記基板の一辺まで形成され、前記引き出し電極部と前記操作領域との間、かつ、それぞれの前記引き出し電極部間に連続する溝を形成し、前記溝は、一端が前記基板の前記一辺まで延設されると共に、深さが前記導電膜を貫通していることを特徴とする座標入力装置。
【請求項２】
前記基板は、前記導電膜が形成された第１基板と、この第１基板に接着膜を介して第２基板を接着した２層からなり、前記溝の深さは、前記第１基板を貫通していることを特徴とする請求項１記載の座標入力装置。
【発明の詳細な説明】
【技術分野】
【０００１】
本発明は、操作領域を入力ペン、或いは指等により操作してデータ入力を行う座標入力装置に関する。
【背景技術】
【０００２】
従来における操作領域を入力ペン等によって操作する座標入力装置を図６〜図９に基づいて説明する。
図６は従来の座標入力装置の側面図、図７は従来に係わる下部の透明基板部材の平面図、図８は従来に係わる上部の透明基板部材の下面図、図９は図７のＢ−Ｂ線における断面図である。
【０００３】
そして、従来の座標入力装置において、下部側に配設した透明基板部材２０は、透明なガラスから成る透明基板２１を有し、この透明基板２１の上面全面に導電膜（酸化インジウムから成る透明抵抗膜）２２が形成されている。
前記導電膜２２上には、間隔を置いて銀等から成る電極２３、２４が平行に形成され、この電極２３と２４との間に操作領域２５が形成されている。
また、操作領域２５から外れた位置の操作領域２５の側部において、導電膜２２上に絶縁膜２６が形成され、この絶縁膜２６上に電極２３、２４の一端から引き出された引き出し電極部２７、２８が形成されている。
【０００４】
また、上部の透明基板部材３０は、透明なポリエチレンテレフタレート等の合成樹脂から成る透明基板３１を有し、この透明基板３１の下面全面に導電膜３２が形成されている。
前記導電膜３２上には、間隔を置いて銀等から成る電極３３、３４が平行に形成され、この電極３３と３４との間で操作領域３５が形成されている。
また、操作領域３５から外れた位置の操作領域３５の側部において、導電膜３２上に絶縁膜３６が形成され、操作領域３５から外れた位置の電極３４の側部において、前記絶縁膜３６に繋がって導電膜３２上に絶縁膜３７が形成されている。また、電極３３の一端からは、絶縁膜３６、３７上に形成された引き出し電極部３８が引き出し形成され、電極３４から外側から引き出されて絶縁膜３７上に引き出し電極部３９が形成されている。
【０００５】
このような構成を有する上部の透明基板部材３０は、その導電膜３２を、下部の透明基板部材２０の導電膜２２に対向させ、且つ、平行な電極３３、３４を、下部の電極２３、２４が存在しない側部に位置させて配置し、絶縁スペーサ４０によって、図６に示すように、上下の透明基板部材３０、２０とが組み合わされた構成となっている。
【０００６】
そして、入力ペン（図示せず）で透明基板３１を押し圧すると、透明基板３１が変形して、上部の導電膜３２と下部の導電膜２２が部分的に接触する。
すると、この接触点とそれぞれの電極３３、３４間の抵抗比、及び接触点とそれぞれの電極２３、２４間の抵抗比を引き出し電極部３８、３９及び２７、２８を通して導出し、座標入力を行うようになっている。
【０００７】
また、電極２３、２４における引き出し電極部２７と２８の端部、及び電極３３、３４における引き出し電極部３８と３９の端部は、外部接続、例えばコネクタ等により導出が可能にできるため、互いに近接した位置に形成されている。
このため、下部の透明基板部材２０における電極２３から引き出される引き出し電極部２７は、導電膜２２と、もう一方の引き出し電極部２８との絶縁を図るために、絶縁膜２６上に形成されており、また、上部の透明基板部材３０における電極３３から引き出される引き出し電極部３８は、導電膜３２と、もう一方の電極３４と、引き出し電極部３９との絶縁を図るために、絶縁膜３６、３７上に形成されている。
【発明の開示】
【発明が解決しようとする課題】
【０００８】
従来の座標入力装置においては、引き出し電極部２７を、操作領域２５と引き出し電極部２８とから絶縁させるために絶縁膜２６を形成し、また、引き出し電極部３８を、操作領域３５と電極３４と引き出し電極部３９とから絶縁するために絶縁膜３６、３７を形成するため、絶縁膜２６、３６、３７の形成作業と、その材料費によって、コスト高に成るという問題がある。
また、絶縁膜２６、３６、３７を形成すると、ピンホールが発生し、このピンホールによって、引き出し電極部２７が導電膜２２に、また、引き出し電極部３８が導電膜３２に導通して、不良品を発生するという問題がある。
【０００９】
更に、導電膜と絶縁膜との間には段部があり、引き出し電極部を印刷で形成した時、この段部で引き出し電極部が切断、或いは極細となり、不良品を招くという問題がある。
本発明は前述のような課題を解決して、低コストでピンホール等による導通不良が発生することのない高品質の座標入力装置を提供することを目的とする。
【課題を解決するための手段】
【００１０】
上記課題を解決するための第１の解決手段として、基板の一面に形成された導電膜と、該導電膜上に間隔を置いて形成された一対の電極と、該一対の電極間で形成された操作領域と、前記一対の電極のそれぞれに接続されて前記導電膜上に形成された引き出し電極部を形成した周辺領域とを備え、前記それぞれの引き出し電極部は、前記周辺領域を経由して前記基板の一辺まで形成され、前記引き出し電極部と前記操作領域との間、かつ、それぞれの前記引き出し電極部間に連続する溝を形成し、前記溝は、一端が前記基板の前記一辺まで延設されると共に、深さが前記導電膜を貫通していることを特徴とする。
【００１１】
また、上記課題を解決するための第２の解決手段として、前記基板は、前記導電膜が形成された第１基板と、この第１基板に接着膜を介して第２基板を接着した２層からなり、前記溝の深さは、前記第１基板を貫通していることを特徴とする。
【発明の効果】
【００１２】
本発明の座標入力装置は、引き出し電極部と操作領域との間、かつ、それぞれの引き出し電極部間に連続する溝を形成し、前記溝は、一端が基板の一辺まで延設されると共に、深さが導電膜を貫通しているので、絶縁膜が不要となり、低コストで、且つ、ピンホール、あるいは断線等の不良品のない座標入力装置を提供できる。
【００１３】
また、基板は、導電膜が形成された第１基板と、この第１基板に接着膜を介して第２基板を接着した２層からなり、溝の深さは、第１基板を貫通しているので、
溝が接着膜まで達する深さに形成されて、更に引き出し電極部と操作領域との間の絶縁性を向上できる。
【発明を実施するための最良の形態】
【００１４】
以下、本発明における座標入力装置の一実施の形態を図１〜図４に基づいて説明する。図１は本発明の座標入力装置の側面図であり、図２は本発明に係わる下部の透明基板部材の平面図であり、図３は本発明に係わる上部の透明基板部材の下面図であり、図４は図２のＡ−Ａ線における断面図であり、図５は本発明のその他の実施の形態の要部断面図である。
【００１５】
まず、本発明の座標入力装置において、下部側に配設した下部の透明基板部材１は、透明なガラス、或いは透明なポリエチレンテレフタレート等の合成樹脂から成る透明基板２を有し、この透明基板２の一方の面である図示上面全面に導電膜（酸化インジウムから成る透明抵抗膜）３が形成されている。
前記導電膜３上には、所定の間隔を置いて銀等から成る電極４、５が図示左右方向に、互いに対向して平行に形成されていると共に、前記電極４と５との間に面積の広い操作領域６が形成されている。
【００１６】
また、操作領域６の図示上部外側の導電膜３上には、周辺領域Ｓが形成され、図示右側の一方の電極４からは、引き出し電極部７が操作領域６から外れた位置の周辺領域Ｓを経由して基板２の一辺まで引き出し形成されている。
また、図示左側の他方の電極５からは、引き出し電極部８が周辺領域Ｓを経由して基板２の一辺まで引き出し形成されている。
また、引き出し電極部７と操作領域６との間、及びそれぞれの引き出し電極部７と８との間に連続して、深さが導電膜３から透明基板２に至る切り溝９が形成されている。前記切り溝９によって、導電膜３上に形成された引き出し電極部７が、操作領域６と引き出し電極部８とから絶縁された状態と成っている。
【００１７】
また、上部側に配設された上部の透明基板部材１０は、透明なポリエチレンテレフタレート等の合成樹脂から成る透明基板１１を有し、この透明基板１１の一方の面である図示下面全面に導電膜１２が形成されている。
前記導電膜１２上には、所定の間隔を置いて図示上下方向に、銀等から成る電極１３、１４が互いに対向して平行に形成されていると共に、前記電極１３と１４との間で面積の広い操作領域１５が形成されている。
【００１８】
また、前記操作領域１５から外れた図示右側の側部の導電膜１２上と、他方の電極１４の図示上部外側の導電膜１２上とには、それぞれ周辺領域Ｓが形成され、図示下部側の一方の電極１３からは、引き出し電極部１６が引き出されて、図示右側の周辺領域Ｓ及び図示上部側の周辺領域Ｓを経由して基板１１の図示上部側の一辺まで形成されている。
また、他方の電極１４からは、図示上部側の周辺領域Ｓを経由して基板１１に一辺まで引き出し電極部１７が引き出し形成されている。
そして、引き出し電極部１６と操作領域１５との間、及び引き出し電極部１６と電極１４との間、更に引き出し電極部１６と引き出し電極部１７との間に連続して、深さが導電膜１２から透明基板１１に至る切り溝１８が形成されている。
【００１９】
前記切り溝１８によって、導電膜１２上に形成された引き出し電極部１６は、操作領域１５と他方の電極１４と他方の引き出し電極部１７とから絶縁された状態となっている。
また、切り溝９、及び１８は、一端が透明基板２、１１の図示上方に一辺まで延設されると共に、深さが導電膜３、１２を貫通して形成されている。このような切り溝９、及び１８は、比較的安価な設備であるカッターによって形成しているが、レーザー照射によっても形成することができる。
【００２０】
そして、透明基板２がガラスから成る場合、レーザーはガラスを透過するので、従ってこの場合、導電膜３のみに切り溝９を形成することが出来、カッターによって形成された切り溝９よりも切り溝９の深さを浅く形成することが出来る。
こうすると、切り溝９が、図２に示すように、引き出し電極部７の下まで延出形成された延出部９ａを有するときは、引き出し電極部７は、その印刷形成の際、延出部９ａ内に落ち込むが、その落ち込み量はカッターによって形成された切り溝９、及び延出部９ａが導電膜３から透明基板２に至るものに比べ少ないので、引き出し電極部７の断線を防止することが出来る。
【００２１】
このような構成を有する上部の透明基板部材１０は、その導電膜１２を、下部の透明基板部材１の導電膜３に対向させ、且つ、平行な電極１３、１４を、下部の電極４、５が存在しない側部に位置させて配置し、複数の絶縁スペーサ４０によって、図１に示すように、上下の透明基板部材１０、１が組み合わされた構成となっている。
【００２２】
そして、入力ペン（図示せず）で透明基板１１の操作領域１５部分を押圧すると、透明基板１１が変形して、操作領域６、１５において上部の導電膜１２と下部の導電膜３とが部分的に接触する。
すると、この接触点とそれぞれの電極１３、１４間の抵抗比、及び接触点とそれぞれの電極４、５間の抵抗比を引き出し電極部１６、１７及び７、８を通して導出し、座標入力を行うようになっている。
【００２３】
また、図５は本発明における上部の透明基板部材１０のその他の実施の形態を示し、この実施例においては、第１基板である透明基板１１上に、透明な接着膜１９を介して第２基板であるもう一つの透明基板１１ａを接着し、二層の透明基板にすることによって、入力ペンによる透明基板の磨耗による寿命を延ばすと共に、透明基板１１と導電膜１２の切り溝１８をより深く形成できるようにして、引き出し電極部１６の絶縁性の向上を図ったものである。
【図面の簡単な説明】
【００２４】
【図１】本発明の座標入力装置の側面図。
【図２】本発明に係わる下部の透明基板部材の平面図。
【図３】本発明に係わる上部の透明基板部材の下面図。
【図４】図２のＡ−Ａ線における断面図。
【図５】本発明の他の実施例を示す上部の透明基板部材の要部断面図。
【図６】従来の座標入力装置の側面図。
【図７】従来に係わる下部の透明基板部材の平面図。
【図８】従来に係わる上部の透明基板部材の下面図。
【図９】図７のＢ−Ｂ線における断面図。
【符号の説明】
【００２５】
１、１０  透明基板部材
２、１１  透明基板
３、１２  導電膜
４、５、１３、１４  電極
６、１５  操作領域
７、８、１６、１７  引き出し電極部
９、１８  切り溝
１９  接着膜
４０  絶縁スペーサ
【図１】
2004318916.tif 000003
【図２】
2004318916.tif 000004
【図３】
2004318916.tif 000005
【図４】
2004318916.tif 000006
【図５】
2004318916.tif 000007
【図６】
2004318916.tif 000008
【図７】
2004318916.tif 000009
【図８】
2004318916.tif 000010
【図９】
2004318916.tif 000011